(57)【要約】【課題】  従来の靴のヒールは、素人ではリフトの交換ができず、手間やコストが掛かり、また、破損し易かった。【解決手段】  ヒール本体内の下部に螺子があり、リフトに螺子があり、一方の螺子への他方の螺子のねじ込みによりヒール本体にリフトを脱着自在とし、ヒール本体とリフトに互いに係止する係止機構を備えた。前記ヒールにおいて、ヒール本体内とリフト内とに夫々金属製の縦軸と連結軸とを埋設し、両軸の端部に螺子を形成し、螺合可能とした。また、前記縦軸の上端を、靴の中底に設けられた磁石に接触又は接近させ、リフト内に連結軸の下端と接触又は接近させて磁石を設け、前記両軸を螺合して、靴の中底の磁石―縦軸―連結軸―リフト内の磁石の静電気放電系路を構成した。ヒール本体内の縦軸の下端よりも下方に嵌合空間を形成し、リフトから突設された連結軸の下方部分を嵌合可能とした。【選択図】図１
2005237615.tif 000002
【特許請求の範囲】
【請求項１】
靴底に取り付けられるヒール本体と、ヒール本体の下に取付けられるリフトを備えた靴のヒールにおいて、ヒール本体内の下部に螺子があり、リフトに螺子があり、両螺子の螺合によりヒール本体にリフトを脱着自在とし、ヒール本体とリフトに互いに係止してリフトの位置決めと回転を防止する係止機構を備えたことを特徴とする靴のヒール。
【請求項２】
靴底に取り付けられるヒール本体と、ヒール本体の下に取付けられるリフトを備えた靴のヒールにおいて、ヒール本体内に金属製の縦軸が上下方向に埋設され、縦軸の下端に螺子が形成され、リフトはリフト本体に金属製の連結軸が取付けられ、連結軸はその基部がリフト本体内に埋設され、リフト本体から突出した部分には螺子が形成され、前記縦軸の下端に形成された螺子とリフトの連結軸の螺子とが螺合可能であることを特徴とする靴のヒール。
【請求項３】
請求項２記載の靴のヒールにおいて、ヒール本体内の縦軸の上端が、靴の中底に設けられた磁石に接触又は接近するように形成され、リフト本体内に連結軸の下端と接触又は接近して磁石が埋設され、ヒールの縦軸の螺子とリフトの連結軸の螺子を螺合すると、靴の中底の磁石―縦軸―連結軸―リフト内の磁石―アースの静電気放電系路が構成されることを特徴とする靴のヒール。
【請求項４】
請求項２又は請求項３記載の靴のヒールにおいて、ヒール本体の下部内側に、ヒール本体内の縦軸の下端よりも下方に突出する嵌合空間を形成し、縦軸の螺子と連結軸の螺子を螺合すると、リフトの連結軸のうち下方部分が前記嵌合空間内に嵌合することを特徴とする靴のヒール。
【請求項５】
靴の中底に磁石が設けられ、その磁石は靴を履いた人の足と接触又は接近するように設けられ、その靴の底に請求項１又は請求項２記載のヒールが取付けられたことを特徴とする靴。
【請求項６】
靴の中底に磁石が設けられ、その磁石は靴を履いた人の足と接触又は接近するように設けられ、その靴の底に請求項３又は請求項４記載のヒールを取付けて、ヒール本体内の縦軸の上端を前記磁石に接触又は接近させて、前記磁石―縦軸―連結軸―リフト内の磁石―アースの静電気放電回系路を形成し、静電気がその放電系路を通してアースに放電されるようにしたことを特徴とする靴。
【発明の詳細な説明】
【技術分野】
【０００１】
本発明は、紳士靴、婦人靴、スポーツシューズ等の各種靴のヒール及びそれを用いた靴に関するものである。
【背景技術】
【０００２】
従来の靴において、ヒールは、硬質樹脂製のヒール本体の下端に、硬質材製等のリフトを接着剤や釘等によって固定されていた。靴の着用によりリフトが磨耗すると、新しいものと交換していた。
【発明の開示】
【発明が解決しようとする課題】
【０００３】
しかし、従来の靴のヒールは、リフトの交換に特殊技術を必要とするため、素人が手軽に交換することはできなかった。このため、靴の修理店や販売店に靴を持参して交換しているのが実情であり、リフトの交換に手間やコストが掛かるという課題があった。
【課題を解決するための手段】
【０００４】
本発明は、素人でもリフトの交換を手軽に行う事ができ、また、ヒール本体が折れたり破損したりしにくく、さらに、靴の着用中に静電気が人体に帯電しにくく、仮に静電気が帯電したとしても自動的に地面（アース）に放電されるようにした靴のヒールとそれを使用した靴を提供するものである。
【０００５】
本件出願の靴のヒールは、靴底に取り付けられるヒール本体と、ヒール本体の下に取付けられるリフトを備えた靴のヒールにおいて、ヒール本体内の下部に螺子があり、リフトに螺子があり、両螺子の螺合によりヒール本体にリフトを脱着自在とし、ヒール本体とリフトに互いに係止してリフトの位置決めと回転を防止する係止機構を設けてある。前記ヒール本体内に金属製の縦軸を上下方向に埋設し、縦軸の下端に螺子を形成し、リフト本体に金属製の連結軸を取付け、連結軸はその基部がリフト本体内に埋設され、リフト本体から突出した部分には螺子が形成され、縦軸の下端の螺子とリフトの連結軸の螺子とを螺合可能としてもある。前記ヒール本体内の縦軸の上端を靴の中底に設けた磁石に接触又は接近するように形成し、リフト本体内に連結軸の下端と接触又は接近して磁石を埋設し、ヒールの縦軸の螺子とリフトの連結軸の螺子を螺合すると、靴の中底の磁石―縦軸―連結軸―リフト内の磁石―アースの静電気放電系路が形成されるようにした。前記ヒール本体の下部内側に、ヒール本体内の縦軸の下端よりも下方に突出する嵌合空間を形成し、縦軸の螺子と連結軸の螺子を螺合すると、リフトの連結軸のうち下方部分が前記嵌合空間内に嵌合するようにした。
【０００６】
本発明の靴は、靴の中底に靴を履いた人の足と接触又は接近するように磁石を設け、その靴の底に前記ヒールを取付けた。この場合、ヒール本体内の縦軸の上端を前記磁石に接触又は接近させて、前記磁石―縦軸―連結軸―リフト内の磁石―アースの静電気放電回系路を形成し、靴を履いた人に帯電した静電気がその放電系路を通してアースに放電されるようにした。
【発明の効果】
【０００７】
本件出願の靴のヒールは次のような効果がある。
（１）ヒール本体内の下部に螺子があり、リフトに螺子があり、両螺子の螺合によりヒール本体にリフトを脱着自在としたので、素人でも手軽にリフトの交換を行う事ができ、リフト交換の手間とコストを減少させることができる。
（２）ヒール本体とリフトに互いに係止してリフトの位置決めと回転を防止する係止機構を備えたので、ヒール本体に取り付けたリフトが緩むことがなく、手軽にリフトの交換が可能となる。
（３）ヒール本体内に金属製の縦軸が上下方向に埋設されているのでヒール本体内が補強され、ハイヒールのような細くて高いヒールでも折損する虞がない。
（４）ヒール本体の縦軸と、リフトの連結軸を螺合可能としたので、縦軸がリフト連結材と兼用になり、ヒール本体にリフトを脱着自在としても、ヒール本体及びリフトの構成が簡潔である。
（５）ヒール本体内の縦軸の上端が、靴の中底に設けられた磁石に接触又は接近するように形成され、リフト本体内に連結軸の下端と接触又は接近して磁石が埋設され、ヒールの縦軸の螺子とリフトの連結軸の螺子を螺合すると、靴の中底の磁石―縦軸―連結軸―リフト内の磁石―アースの静電気放電系路が構成されるようにしたので、靴の着用中に人体に静電気が帯電しにくくなり、静電気による不快感やショックが発生しない。
（６）ヒール本体の下部内側に、ヒール本体の縦軸の下端よりも下方に突出する嵌合空間を形成し、縦軸の螺子と連結軸の螺子を螺合すると、リフトの連結軸のうち下方部分が前記嵌合空間内に嵌合するようにしたので、嵌合軸部と嵌合空間との嵌合により、ヒール本体とリフトの連結が強固になり、ハイヒールのような細く高いヒールであっても、折損しにくくなる。
（７）ヒール本体とリフトに互いに係止してリフトの位置決めと回転を防止する係止機構を備えたので、リフトが緩んだり、位置ずれしたりすることがない。
（８）靴の中底に磁石が設けられ、その磁石は靴を履いた人の足と接触又は接近するように設けられ、その靴の底に前記ヒールが取付けられ、そのヒールを内部の縦軸が前記磁石に接触又は接近するように靴底に取付けて、前記磁石―縦軸―連結軸―リフト内の磁石―アースの静電気放電回系路を形成したので、本発明の靴を着用していれば静電気の帯電を防ぐことができ、例えば、乾燥した季節の不快な人体からの放電等を効果的に防ぐことができる。
（９）靴の底に、本体取付け部を備えたヒール本体と、リフト取付け部を備えたリフトとを螺合可能な靴のヒールを取付けたので、両取付け部の螺合によりヒール本体へのリフトの取り付けが確実になり、しかも、ヒール本体へのリフトの脱着が用意であるため、リフトの交換も容易である。
【発明を実施するための最良の形態】
【０００８】
（実施形態１）
本発明の靴のヒール及びそれを用いた靴の実施形態の一例を図を示して説明する。図１、２はハイヒールとそれを取付けた婦人靴の場合である。図１に示すヒールはヒール本体２とリフト３とからなる。ヒール本体２は、硬質な樹脂材等の素材によって中実に形成された部材であって、上部が太く、下部が細く成形されている。ヒール本体２の上部は、靴の底皮４に接して配置され、底皮４と補助板５と中底６とを介して、中底６側から複数箇所釘打ちして靴の底皮４に固定されている。前記補助板５には、金属製の板ばね（焼きばね）が用いられ、これによって靴底の形状を整えることができる。前記補助板５と底皮４とは、図１に示すように、カシメ具７によって挟着されている。前記カシメ具７の上方の中底６には穴８が開口され、穴８には磁石９がカシメ具７の上端に接触するように埋め込まれている。磁石９は、カシメ具７の上端に接触させずに、磁石９の磁力の及ぶ範囲内でカシメ具７の上端から離して備えることもできる。また、ヒール本体２の中央部分には、ヒール本体２の上下方向に挿通孔１０が貫通して開口され、挿通孔１０内には金属製の縦軸１１が埋め込まれている。本実施形態では、前記縦軸１１には、金属製のパイプが用いられている。縦軸１１には、金属製のパイプの他に、金属棒を用いることも可能である。前記縦軸１１は、その上端部が挿通孔１０の上端部に、下端部は挿通孔１０の下端部から数ｍｍ〜数ｃｍ上方に位置するように埋め込まれている。縦軸１１の下端部と、ヒール本体２の下端部との間には、嵌合空間１２が形成されており、縦軸１１の上端部は、前記カシメ具７の下端に接触するようにしてある。縦軸１１上下方向の上端部は、広く形成され、縦軸１１の下端部内部には、雌螺子１３が形成されている。また、ヒール本体２の下端部には、図３（ａ）に示すように、係止穴１４が、前後に一つずつ形成されている。ヒール本体２の下端部の係止穴の数は、前記のように二つには限られず、任意の数とすることができる。ただし、係止穴が二つであれば、前記のようにヒール本体２の前後に形成することが望ましい。
【０００９】
前記リフト３は、硬質な樹脂等の素材によって前記ヒール本体２の下端部に適合した形状に形成された中実の部材である。前記リフト３には、上端を上方に突出させて、下端の基部２０をリフト３内に埋め込んだ金属製の連結軸１５が備えられている。本実施形態では、前記連結軸１５には、金属棒が用いられている。連結軸１５には、金属棒の他に、金属製のパイプを用いることも可能である。前記連結軸１５の表面には、雄螺子１６が切ってあり、前記ヒール本体２の雌螺子１３にねじ込み可能としてある。また、連結軸１５のリフト３から上方に突出した部分のうち、前記雌螺子１３と螺合する部分よりも下方の部分は、前記ヒール本体２の嵌合空間１２に嵌入可能としてある。リフト３の上面には、図３（ａ）に示すように、前記ヒール本体２の係止穴１４に嵌入可能な係止突起１８が、前記係止穴１４に適合するように前後に一つずつ形成されている。係止突起１８は、係止穴１４の数及び位置に対応させて形成されている。前記連結軸１５のうち、リフト３内に埋め込まれた基部２０は、連結軸１５より径の大きい円板が、連結軸１５の下端部に二枚備えられた形状に形成されている。従って、基部２０に形成された二枚の円板状の部分の間に樹脂が入り込み、連結軸１５とリフト３との結着が強固なものとなる。また、該基部２０に接触させて、磁石１９がリフト３内に埋め込まれている。磁石１９は、基部２０に接触させずに、磁石１９の磁力の及ぶ範囲内で基部２０から離して備えることもできる。
【００１０】
本実施形態の靴のヒールを形成するには、図３（ａ）に示すように、リフト３の雄螺子１６をヒール本体２の雌螺子１３にねじ込み、連結軸１５の下方部分を嵌合空間１２に嵌入する。係止突起１８がヒール本体２の下端部に当たると、図３（ｂ）に示すように、樹脂製の係止突起１８はその弾性によって変形する。更にリフト３を回転させて雄螺子１６をねじ込むと、図３（ｃ）に示すように、変形した係止突起１８は、係止穴１４に嵌入され、リフト３は固定されて、図２に示すような、ヒール１が形成される。なお、係止突起１８は、係止穴１４に叩き入れて圧入させることも可能である。ヒール１からリフト３を取り外すには、リフト３の雄螺子１６を緩めてリフト３を取り外せばよい。
【００１１】
本発明の靴のヒール１を用いた靴３０は、図１、図２に示すように、前記ヒール１と、底皮４と、補助板５と、中底６とからなる靴底３１に、靴の外周となる甲皮３２を備え、さらに、中底６の上に中敷３３を敷いて形成される。
【００１２】
本発明の靴３０においては、図２に示すように、靴の中底６の磁石９―縦軸１１―連結軸１５―リフト３内の磁石１９―アースの静電気放電系路が構成される。靴３０を履いた人に帯電した静電気は、中敷３３を通って中底６に埋め込まれた磁石９に集められる（図中矢印Ａ）。磁石９に集まった静電気は、カシメ具７、縦軸１１、連結軸１５、リフト３内の磁石１９の順で伝導し（図中矢印Ｂ、Ｃ）、磁石１９から、磁石１９と地面との間の磁場に乗せられて地面へと放電される（図中矢印Ｄ）。従って、靴３０を履くだけで、人体に静電気が帯電しにくく、人体に帯電した静電気を前記静電気放電系路によって地面に放電させることができる。
【００１３】
（実施形態２）
本発明の靴のヒール及びそれを用いた靴の実施形態の他の一例を図を示して説明する。本実施形態の靴のヒール及びそれを用いた靴についても、基本的構成態様は前記実施形態１記載のものと共通するが、リフト３のヒール本体２への固定及び位置決めの方法において実施形態１記載のものと異なる。
【００１４】
前記実施形態１では、ヒール本体２の係止穴１４に、リフト３の係止突起１８を嵌入させて、リフト３のヒール本体２への固定及び位置決めを行っていたが、リフト３のヒール本体２への取付けは、図４に示すように、螺子止め等によって行うこともできる。本願商標実施形態では、図４に示すように、リフト３の底部から上面に上下方向に貫通させて開口された螺子穴２１に、リフト３の底部側から螺子２２をねじ入れ、螺子２２をヒール本体２内部までねじ込んで、リフト３をヒール本体２へ固定及び位置決めすることができる。
【００１５】
図４に示すように、前記螺子穴２１は、リフト３内部に上下方向に開口された穴であって、リフト３の底部側から途中までは、前記螺子２２の頭部が挿通可能な径に形成され、途中から上面までは、前記螺子２２の頭部が挿通できない径に形成されてなる。従って、螺子穴２１内で、前記螺子２２の頭部を、螺子穴２１の径が細くなる部分に着座させて螺子２２を係止することができる。
【００１６】
図４に示すように、前記螺子２２には、ヒール本体２内に挿し込むことができる長さの、先端部を尖らせたタッピング螺子が用いられている。螺子２２には、タッピング螺子の他、ヒール本体２に挿し込んでリフト３をヒール本体２へ固定及び位置決めすることが可能であれば、釘等、任意の部材を用いることもできる。従って、リフト３の雄螺子１６をヒール本体２の雌螺子１３にねじ込み、リフト３をヒール本体２に取付けた後、螺子穴２１に螺子２２を底部側から入れ、螺子２２の先端部をヒール本体２内部までねじ込んで、リフト３をヒール本体２へ固定及び位置決めすることができる。
【００１７】
また、リフト３の螺子穴２１の数は、前記のように一つには限られず、任意の数とすることができる。ただし、螺子穴２１が二つであれば、リフト３の前後に形成することが望ましい。
【００１８】
（その他の実施形態）
前記各実施形態では、ハイヒールとそれを取付けた婦人靴に、本発明の本発明のヒール及びそれを用いた靴を実施したが、本発明を実施可能であるのは、前記実施形態に示すハイヒールには限られず、ヒールの低い靴や、サンダルや、紳士靴や、スポーツシューズ等、任意の履物について実施することができる。よって、前記実施形態では、ヒール本体２は、硬質な樹脂材等の素材によって中実に形成された部材であって、上部が太く、下部が細く成形されているが、ヒール本体２の形状は、これには限られず、前記実施形態の、靴の中底６の磁石９―縦軸１１―連結軸１５―リフト３内の磁石１９―アースの静電気放電系路が確保されれば、任意の形状とすることができる。従って例えば、ヒール本体の内部に空洞を形成し、リフト取付け部を形成すること等も可能である。
【００１９】
前記各実施形態では、縦軸１１に雌螺子を形成し、連結軸１５に雄螺子を形成していたが、縦軸を中実の棒材として雄螺子を形成し、連結軸をパイプとして雌螺子を形成して両者を螺合させることも可能である。また、縦軸と連結軸とは、雄螺子と雌螺子を用いての螺合には限られず、静電気の伝導が可能であれば、パイプ状の一方に棒状の他方を嵌め込む構成や、縦軸と連結軸とが単に接触する構成や、縦軸と連結軸とを接触させずに接近させる構成等、任意の構成をとることができる。
【００２０】
前記各実施形態では、ヒール本体２の係止孔１４に、リフト３の係止突起１８を嵌入してヒール本体２とリフト３とを係止していたが、ヒール本体２とリフト３との係止機構はこれには限られず、任意の機構とすることができる。
【００２１】
前記各実施形態においては、磁石１９は、リフト３内部に埋め込まれていたが、磁石１９は、リフト３の底面に露出させてリフト３内部に埋め込むことも可能である。
【産業上の利用可能性】
【００２２】
本発明の靴のヒールは、婦人靴以外にも、紳士靴、スポーツシューズ、サンダル等、任意の履物に用いることができる。
【図面の簡単な説明】
【００２３】
【図１】本発明の靴のヒールの実施形態の一例を示す側面断面図。
【図２】図１に示す靴のヒールの使用の様子を示す側面断面図。
【図３】（ａ）〜（ｃ）は、ヒール本体にリフトを嵌入させる様子を示す側面断面図。
【図４】本発明の靴のヒールの実施形態のその他の一例を示す側面断面図。
【符号の説明】
【００２４】
１  ヒール
２  ヒール本体
３  リフト
７  カシメ具
９  磁石
１１  縦軸
１３  雌螺子
１４  係止穴
１５  連結軸
１６  雄螺子
１８  係止突起
１９  磁石
【図１】
2005237615.tif 000003
【図２】
2005237615.tif 000004
【図３】
2005237615.tif 000005
【図４】
2005237615.tif 000006